(57)【要約】【課題】透過反射両用型の液晶表示装置において、透過モードの表示の視野角特性を十分に向上させ、且つ、反射モードで明るい表示を実現する。【解決手段】本発明による液晶表示装置は、液晶表示パネル２０と、液晶表示パネル２０に向けて光を出射する照明素子１０とを備え、表示を行うための複数の画素を有する。複数の画素のそれぞれは、照明素子１０からの光を用いて透過モードの表示を行う透過領域Ｔと、観察者側からの光を用いて反射モードの表示を行う反射領域Ｒとを有し、液晶表示パネル２０は、液晶層２３よりも観察者側に設けられた第１の光拡散層３１および第２の光拡散層３２を有する。第１の光拡散層３１は、透過領域Ｔ内に配置されており、第２の光拡散層３２は、反射領域Ｒ内に配置されている。第２の光拡散層３２のヘイズ値は、第１の光拡散層３１のヘイズ値よりも小さい。【選択図】図１
2008070418.tif 000002
【特許請求の範囲】
【請求項１】
一対の基板および前記一対の基板間に設けられた液晶層を有する液晶表示パネルと、前記液晶表示パネルに向けて光を出射する照明素子とを備え、表示を行うための複数の画素を有する液晶表示装置であって、
前記複数の画素のそれぞれは、前記照明素子からの光を用いて透過モードの表示を行う透過領域と、観察者側からの光を用いて反射モードの表示を行う反射領域とを有し、
前記液晶表示パネルは、前記液晶層よりも観察者側に設けられた第１および第２の光拡散層を有し、
前記第１の光拡散層は、前記透過領域内に配置されており、
前記第２の光拡散層は、前記反射領域内に配置されており、
前記第２の光拡散層のヘイズ値は、前記第１の光拡散層のヘイズ値よりも小さい、液晶表示装置。
【請求項２】
前記第１の光拡散層のヘイズ値は、８５％以上である請求項１に記載の液晶表示装置。
【請求項３】
前記第２の光拡散層のヘイズ値は、８３％以下である請求項１または２に記載の液晶表示装置。
【請求項４】
前記第２の光拡散層のヘイズ値は、７０％以上である請求項１から３のいずれかに記載の液晶表示装置。
【請求項５】
前記一対の基板は、前記液晶層よりも観察者側に配置された第１の基板および前記液晶層に対して観察者とは反対側に配置された第２の基板であり、
前記第１および第２の光拡散層は、前記第１の基板と前記液晶層との間に配置されている請求項１から４のいずれかに記載の液晶表示装置。
【請求項６】
前記液晶表示パネルは、前記液晶層よりも前記照明素子側に配置された光反射層をさらに有する請求項１から５のいずれかに記載の液晶表示装置。
【請求項７】
前記照明素子は、表示面法線方向に対して３０°以上の角をなす方向における輝度が、表示面法線方向における輝度の１３％以下となるような配光分布を有する請求項１から６のいずれかに記載の液晶表示装置。
【請求項８】
前記照明素子は、表示面法線方向に対して３０°以上の角をなす方向における輝度が、表示面法線方向における輝度の３％以下となるような配光分布を有する請求項１から６のいずれかに記載の液晶表示装置。
【請求項９】
前記照明素子は、光源と、前記光源から出射した光の指向性を制御する指向性制御素子とを有する請求項１から８のいずれかに記載の液晶表示装置。
【発明の詳細な説明】
【技術分野】
【０００１】
本発明は、液晶表示装置に関し、特に、透過モードの表示と反射モードの表示とを行うことができる透過反射両用型の液晶表示装置に関する。
【背景技術】
【０００２】
近年、携帯型電話機やＰＤＡ（Personal Digital Assistant）に代表される携帯型電子機器が広く利用されている。携帯型電子機器の表示部には、薄型、軽量、低消費電力といった利点を有する液晶表示装置が用いられている。
【０００３】
液晶表示装置は、ＣＲＴやＰＤＰ（プラズマディスプレイパネル）のような自発光型の表示装置ではない。そのため、透過型の液晶表示装置では、液晶表示パネルの背面側にバックライトと呼ばれる照明素子が設けられており、このバックライトからの照明光の透過光量を液晶表示パネルが画素ごとに制御することによって画像の表示が行われる。
【０００４】
液晶表示装置としては、種々の方式のものが知られている。しかしながら、一部の方式（例えば、ＴＮ型やＳＴＮ型の液晶表示素子を用いる方式）は、視野角が狭いという欠点を有しており、それを解決するために様々な技術開発が行なわれている。
【０００５】
液晶表示装置の視野角特性を改善するための代表的な技術として、光学補償板を付加する方式がある。また、バックライトから出射された光をその指向性（平行度）を高めた上で液晶表示素子に入射させ、液晶表示素子を通過した光を液晶表示素子の前面に配置されたレンチキュラレンズシートによって拡散させる方式も知られている（例えば特許文献１）。
【０００６】
図９に、特許文献１に開示されている液晶表示装置８００を示す。液晶表示装置８００は、液晶層（不図示）を含む液晶表示パネル８２０と、液晶表示パネル８２０の背面側に配置されたバックライト８１０と、液晶表示パネル８２０の観察者側に配置されたレンチキュラレンズシート８３０とを備えている。
【０００７】
バックライト８１０は、光源８０１と、光源８０１から出射した光を液晶表示パネル８２０に導く導光板８０２と、導光板８０２から漏れた光を導光板８０２側に反射する反射層８０４とを有している。導光板８０２は、液晶表示パネル８２０に向けて光を出射する出射面と、出射面に対向する裏面とを有し、裏面に複数のプリズム８０２ａが形成されている。
【０００８】
光源８０１から出射した光は、導光板８０２内を伝搬する途中で、裏面のプリズム８０２ａによって液晶表示パネル８２０側に反射され、出射面から出射する。裏面のプリズム８０２ａは、出射面に対して互いに異なる所定の角度で傾斜した２つの傾斜面を有しており、そのことによって、バックライト８１０から出射する光は、表示面法線方向（正面方向）における強度が著しく強くなっている。つまり、バックライト８１０から出射する光は、高い指向性を付与されている。
【０００９】
バックライト８１０から出射する光が高い指向性を有していると、液晶表示パネル８２０の液晶層を通過する光を一様に変調することができる（つまり液晶層を通過する光に一様なリタデーションを与えることができる）ので、液晶分子の屈折率異方性に起因した表示品位の視角依存性を低減することができる。液晶表示パネル８２０を通過した光は、そのままでは指向性が高く、輝度に大きな偏りを有している（表示面法線方向の輝度が著しく高く、斜め方向の輝度が低い）が、光拡散素子であるレンチキュラレンズシート８３０によって拡散されることにより、輝度の偏りを低減され、そのことによって視野角が広がる。このようにして、液晶表示装置８００では、表示品位の視角依存性が低減された広視野角の表示が実現される。
【００１０】
一方、近年、屋外および屋内のいずれにおいても高品位の表示が可能な液晶表示装置が提案されている（例えば特許文献２）。この液晶表示装置は、バックライトからの光を用いた透過モードの表示と、周囲光（外光）を用いた反射モードの表示とを行うことができ、透過反射両用型液晶表示装置と呼ばれる。
【００１１】
透過反射両用型液晶表示装置は、反射型液晶表示装置が有する低消費電力という特徴と、透過型液晶表示装置が有する周囲の明るさに影響されることが少なく、明るい高コントラスト比の表示を行うことができるという特徴とを兼ね備えている。さらに、非常に明るい使用環境（例えば、晴天の屋外）において視認性が低下するという透過型液晶表示装置の欠点も改善される。
【００１２】
ただし、特許文献２に開示されている透過反射両用型液晶表示装置は、液晶層よりも観察者側に光拡散素子を備えているわけではないので、広視野角の表示を行うことはできない。そこで、特許文献１に開示されているような光拡散素子を用いる方式を、透過反射両用型液晶表示装置に適用することが考えられる。
【特許文献１】特開平９−２２０１１号公報
【特許文献２】特開平１１−１０１９９２号公報
【発明の開示】
【発明が解決しようとする課題】
【００１３】
しかしながら、特許文献１に開示されている方式をそのまま透過反射両用型液晶表示装置に適用しても、透過モードと反射モードの両方について高品位の表示を行うことは難しい。これは、透過反射両用型液晶表示装置に単純に光拡散素子を設けると、透過モードの表示に用いられる光（バックライトからの光）が光拡散素子を１回しか通過しないのに対し、反射モードの表示に用いられる光（観察者側からの光）は光拡散素子を２回通過するためである。
【００１４】
例えば、光拡散素子のヘイズ値（光を拡散する度合い）を透過モードの表示に用いられる光に対して最適化すると、反射モードの表示に用いられる光は光拡散素子を２回通過することによって過度に拡散されるので、反射モードの表示が暗くなってしまう。
【００１５】
また、反射モードの表示が暗くならないように、光拡散素子のヘイズ値を弱めに設定すると、透過モードの表示に用いられる光は光拡散素子を１回しか通過しないために十分に拡散されないので、透過モードの表示について視野角を十分に広くすることができない。
【００１６】
本発明は、上記問題に鑑みてなされたものであり、その目的は、透過反射両用型の液晶表示装置において、透過モードの表示の視野角特性を十分に向上させ、且つ、反射モードで明るい表示を実現することにある。
【課題を解決するための手段】
【００１７】
本発明による液晶表示装置は、一対の基板および前記一対の基板間に設けられた液晶層を有する液晶表示パネルと、前記液晶表示パネルに向けて光を出射する照明素子とを備え、表示を行うための複数の画素を有する液晶表示装置であって、前記複数の画素のそれぞれは、前記照明素子からの光を用いて透過モードの表示を行う透過領域と、観察者側からの光を用いて反射モードの表示を行う反射領域とを有し、前記液晶表示パネルは、前記液晶層よりも観察者側に設けられた第１および第２の光拡散層を有し、前記第１の光拡散層は、前記透過領域内に配置されており、前記第２の光拡散層は、前記反射領域内に配置されており、前記第２の光拡散層のヘイズ値は、前記第１の光拡散層のヘイズ値よりも小さい。
【００１８】
ある好適な実施形態において、前記第１の光拡散層のヘイズ値は、８５％以上である。
【００１９】
ある好適な実施形態において、前記第２の光拡散層のヘイズ値は、８３％以下である。
【００２０】
ある好適な実施形態において、前記第２の光拡散層のヘイズ値は、７０％以上である。
【００２１】
ある好適な実施形態において、前記一対の基板は、前記液晶層よりも観察者側に配置された第１の基板および前記液晶層に対して観察者とは反対側に配置された第２の基板であり、前記第１および第２の光拡散層は、前記第１の基板と前記液晶層との間に配置されている。
【００２２】
ある好適な実施形態において、前記液晶表示パネルは、前記液晶層よりも前記照明素子側に配置された光反射層をさらに有する。
【００２３】
ある好適な実施形態において、前記照明素子は、表示面法線方向に対して３０°以上の角をなす方向における輝度が、表示面法線方向における輝度の１３％以下となるような配光分布を有する。
【００２４】
ある好適な実施形態において、前記照明素子は、表示面法線方向に対して３０°以上の角をなす方向における輝度が、表示面法線方向における輝度の３％以下となるような配光分布を有する。
【００２５】
ある好適な実施形態において、前記照明素子は、光源と、前記光源から出射した光の指向性を制御する指向性制御素子とを有する。
【発明の効果】
【００２６】
本発明による液晶表示装置が備える液晶表示パネルは、透過領域内に配置された第１の光拡散層と、反射領域内に配置された第２の光拡散層とを有しており、第２の光拡散層のヘイズ値は、第１の光拡散層のヘイズ値よりも小さい。つまり、反射領域に、透過領域に設けられている光拡散層よりも光を弱く拡散する光拡散層が設けられている。そのため、透過モードの表示に用いられる光（照明素子からの光）と反射モードの表示に用いられる光（観察者側からの光）とで光拡散層を通過する回数が異なっている（それぞれ１回および２回）にもかかわらず、反射モードに用いられる光を過度に拡散することなく透過モードに用いられる光を十分に拡散することができる。そのため、透過モードの表示の視野角特性を十分に向上させ、且つ、反射モードで明るい表示を実現することができる。
【発明を実施するための最良の形態】
【００２７】
以下、図面を参照しながら本発明の実施形態を説明する。なお、本発明は以下の実施形態に限定されるものではない。
【００２８】
図１に、本実施形態における透過反射両用型液晶表示装置１００を示す。液晶表示装置１００は、図１に示すように、液晶表示パネル２０と、液晶表示パネル２０に向けて光を出射する照明素子（バックライト）１０とを備えており、表示を行うための複数の画素を有している。複数の画素のそれぞれは、照明素子１０からの光を用いて透過モードの表示を行う透過領域Ｔと、観察者側からの光を用いて反射モードの表示を行う反射領域Ｒとを有している。
【００２９】
液晶表示パネル２０は、一対の基板２１および２２と、これらの間に設けられた液晶層２３とを有する。基板２１および２２の液晶層２３側の表面には、液晶層２３に電圧を印加するための電極や、液晶層２３の配向方向を規定するための配向膜（いずれも不図示）が形成されている。以下では、一対の基板２１および２２のうち、液晶層２３よりも照明素子１０側、つまり液晶層２３に対して観察者とは反対側に配置された基板２１を「背面基板」と称し、液晶層２３よりも観察者側に配置された基板２２を「前面基板」と称する。
【００３０】
背面基板２１の液晶層２３側には、光反射層２４が設けられている。光反射層２４は、反射領域Ｒに選択的に形成されている。逆に言うと、光反射層２４によって反射領域Ｒが規定されており、背面基板２１の光反射層２４が形成されていない領域２５によって透過領域Ｔが規定されている。光反射層２４は、アルミニウムや銀などの光反射率の高い金属から形成されており、光を十分に高い反射率で反射することができるような厚さ（例えば１００ｎｍ程度）を有している。なお、光反射層２４は、液晶層２３に電圧を印加するための電極として機能してもよい。
【００３１】
前面基板２２の液晶層２３側には、カラーフィルタ２６およびブラックマトリクス２７が設けられている。カラーフィルタ２６は、典型的には、赤（Ｒ）カラーフィルタ、緑（Ｇ）カラーフィルタおよび青（Ｂ）カラーフィルタを含んでいる。
【００３２】
前面基板２２の観察者側の表面上に、位相差板４１、４２および偏光板（偏光素子）５１がこの順で設けられている。また、背面基板２１の観察者とは反対側の表面上に、位相差板４３、４４および偏光板（偏光素子）５２がこの順で設けられている。
【００３３】
なお、本実施形態では、観察者側の偏光板５１と液晶層２３との間に２枚の位相差板４１および４２を配置し、照明素子１０側の偏光板５２と液晶層２３との間に２枚の位相差板４３および４４を配置しているが、位相差板の数や配置はここで例示したものに限定されない。
【００３４】
本実施形態における液晶表示パネル２０は、液晶層２３よりも観察者側に設けられた第１の光拡散層３１および第２の光拡散層３２を有している。本実施形態では、第１の光拡散層３１および第２の光拡散層３２は、前面基板２２とカラーフィルタ２６との間に設けられている。図１に示すように、第１の光拡散層３１は透過領域Ｔ内に配置されており、第２の光拡散層３２は反射領域Ｒ内に配置されている。液晶表示装置１００が赤を表示するＲ画素、緑を表示するＧ画素および青を表示するＢ画素を有する場合、図２に示すように、Ｒ画素、Ｇ画素およびＢ画素のそれぞれにおいて、透過領域Ｔ内に第１の光拡散層３１が配置され、反射領域Ｒ内に第２の光拡散層３２が配置されている。
【００３５】
第１の光拡散層３１と第２の光拡散層３２とは、異なる光拡散特性を有している。具体的には、第２の光拡散層３２のヘイズ値（光を拡散する度合いを表すパラメータ）は、第１の光拡散層３１のヘイズ値よりも小さい。つまり、第２の光拡散層３２は、第１の光拡散層３１よりも光を弱く拡散する。
【００３６】
照明素子１０は、指向性の高い光を出射する。照明素子１０から出射する光が高い指向性を有していると、液晶層２３を通過する光を一様に変調することができる（つまり液晶層２３を通過する光に一様なリタデーションを与えることができる）ので、液晶分子の屈折率異方性に起因した表示品位の視角依存性を低減することができる。
【００３７】
照明素子１０は、光源１と、光源１から出射した光を液晶表示パネル２０に導く導光板（導光体）２とを有している。光源１は、例えば発光ダイオード（ＬＥＤ）や冷陰極管である。導光板２には、光源１から出射して導光板２内部に入射した光を液晶表示パネル２０側に出射させるための構造が形成されている。例えば、導光板２の２つの主面のうちの少なくとも一方に、プリズムやシボが形成されている。
【００３８】
導光板２の背面側には、反射シート３が配置されている。この反射シート３は、導光板２から背面側に漏れた光を再び導光板２に向けて反射する。
【００３９】
また、導光板２の前面側には、拡散シート４、下側レンズシート５および上側レンズシート６がこの順で配置されている。これらの拡散シート４、下側レンズシート５および上側レンズシート６は、光の指向性を制御する指向性制御素子として機能する。
【００４０】
導光板２から出射した光は、一旦拡散シート４によって拡散された後に、下側レンズシート５および上側レンズシート６によって集光される。例えば、下側レンズシート５および上側レンズシート６の一方で表示面上下方向について集光が行われ、他方で表示面左右方向について集光が行われる。
【００４１】
上側レンズシート６は、さらに、反射型偏光板としても機能する。つまり、下側レンズシート５からの光のうちの特定の偏光成分（具体的にはＰ波）のみを透過し、他の偏光成分（具体的にはＳ波）を反射する。反射型偏光板として機能する上側レンズシート６は、その透過軸が液晶表示パネル２０の背面側の偏光板５２の透過軸と一致するように配置されている。
【００４２】
反射型偏光板として機能する上側レンズシート６が設けられていない場合、図３の左側に示すように、下側レンズシート５からの光のうちのＳ波は、偏光板５２で吸収されてしまい、表示には用いられない。
【００４３】
これに対し、反射型偏光板として機能する上側レンズシート６が設けられていると、図３の右側に示すように、下側レンズシート５からの光のうちのＳ波は上側レンズシート６によって反射される。反射されたＳ波は、下側レンズシート５、拡散シート４、導光板２を通過して反射シート３によって反射され、再び上側レンズシート６に向かう。この過程で、Ｓ波の一部はＰ波に変換され、上側レンズシート６で反射されたり偏光板５２で吸収されたりすることなく、液晶表示パネル２０に入射する。そのため、光の利用効率が高くなり、輝度が向上する。反射型偏光板として機能する上側レンズシート６としては、例えば、住友スリーエム株式会社製のＢＥＦ−ＲＰを用いることができる。
【００４４】
照明素子１０から出射した光は、偏光板５２を介して液晶表示パネル２０内に入射した後、位相差板４４、４３、背面基板２１、液晶層２３、カラーフィルタ２６、第１の光拡散層３１、前面基板２２、位相差板４１、４２を順次通過する。この過程で光が変調されることにより、観察者側の偏光板５１を透過する光の量が制御され、それによって透過モードの表示が行われる。
【００４５】
照明素子１０は、指向性が高い光を出射することができるので、照明素子１０からの光を用いて表示を行う透過モードでは、液晶分子の屈折率異方性に起因した表示品位の視角依存性を低減することができる。単に指向性の高い光を用いるだけでは、輝度に大きな偏りが生じる（表示面法線方向の輝度が著しく高く、斜め方向の輝度が低くなる）が、本実施形態では、透過モードに用いられる光は、第１の光拡散層３１によって拡散されるので、輝度の偏りを低減され、そのことによって視野角が広がる。
【００４６】
また、周囲光（外光）は、観察者側から偏光板５１を介して液晶表示パネル２０内に入射した後、位相差板４２、４１、前面基板２２、第２の光拡散層３２、カラーフィルタ２６および液晶層２３を順次通過して光反射層２４で反射され、再び液晶層２３、カラーフィルタ２６、第２の光拡散層３２、前面基板２２、位相差板４１および４２を通過する。この過程で光が変調されることにより、観察者側の偏光板５１を透過する光の量が制限され、それによって反射モードの表示が行われる。
【００４７】
反射モードに用いられる光は、観察者側から液晶表示パネル２０内に入射し、光反射層２４によって反射されて観察者側に出射する過程で、第２の光拡散層３２によって拡散されるので、光反射層２４での鏡面反射に起因した写り込みが防止され、反射モードで好適な白表示を行うことができる。また、視野角も拡大される。なお、光反射層２４の配置は例示したものに限定されない。光反射層２４は、液晶層２３よりも照明素子１０側に配置されていればよい。
【００４８】
このように、液晶表示装置１００は、照明素子１０からの光を用いた透過モードの表示と、観察者側からの光を用いた反射モードの表示とを行うことができる。
【００４９】
本実施形態における透過反射両用型の液晶表示装置１００では、透過領域Ｔ内に第１の光拡散層３１が設けられているとともに、反射領域Ｒ内に第２の光拡散層３２が設けられており、第２の光拡散層３２のヘイズ値は、第１の光拡散層３１のヘイズ値よりも小さい。つまり、反射領域Ｒに、透過領域Ｔに設けられている光拡散層よりも光を弱く拡散する光拡散層が設けられている。そのため、透過モードの表示に用いられる光（照明素子からの光）と反射モードの表示に用いられる光（観察者側からの光）とで光拡散層を通過する回数が異なっている（それぞれ１回および２回）にもかかわらず、反射モードに用いられる光を過度に拡散することなく透過モードに用いられる光を十分に拡散することができる。そのため、透過モードの表示の視野角特性を十分に向上させ、且つ、反射モードで明るい表示を実現することができる。つまり、広視野角の透過モードと、高反射率の反射モードとを両立することができる。
【００５０】
これに対し、図４に示す比較例の液晶表示装置６００のように、透過領域Ｔと反射領域Ｒとに共通の光拡散層６３１を設けた構成では、光拡散層６３１のヘイズ値を透過モードの表示に用いられる光に対して最適化すると、反射モードの表示に用いられる光は光拡散層６３１を２回通過することによって過度に拡散されるので、反射モードの表示が暗くなってしまう。
【００５１】
また、反射モードの表示が暗くならないように、光拡散層６３１のヘイズ値を弱めに設定すると、透過モードの表示に用いられる光は光拡散層６３１を１回しか通過しないために十分に拡散されないので、透過モードの表示について視野角を十分に広くすることができない。
【００５２】
ここで、第１の光拡散層３１および第２の光拡散層３２の具体的な構造や好ましい構成を説明する。
【００５３】
第１の光拡散層３１および第２の光拡散層３２は、例えば、図５に示すような内部散乱を利用した光拡散素子である。図５に示す第１の光拡散層３１（あるいは第２の光拡散層３２）は、図中に一部を拡大して示すように、樹脂材料から形成されたマトリクス３３と、マトリクス３３中に分散された粒子３４とから構成されている。粒子３４は、マトリクス３３の屈折率と異なる屈折率を有しており、マトリクス３３と粒子３４の屈折率の差異に起因した散乱によって、光が拡散される。
【００５４】
マトリクス３３と粒子３４との屈折率差や、粒子３４の混入比率を調整することによって所望のヘイズ値を得ることができる。従って、第１の光拡散層３１と第２の光拡散層３２とで、マトリクス３３と粒子３４との屈折率差や粒子３４の混入比率を異ならせることによって、ヘイズ値を異ならせることができる。また、厚さを調整することによってもヘイズ値を変化させることができるので、第１の光拡散層３１と第２の光拡散層３２とで厚さを異ならせることによってヘイズ値を異ならせてもよい。なお、第１の光拡散層３１および第２の光拡散層３２としては、例示したものに限定されず、種々の光拡散素子を用いることができる。
【００５５】
第１の光拡散層３１および第２の光拡散層３２のヘイズ値は、液晶表示パネル２０の仕様や所望する表示特性などに応じてそれぞれ適宜設定される。
【００５６】
透過モードの視野角を十分に拡大するためには、第１の光拡散層３１のヘイズ値は８５％以上であることが好ましい。図６に、第１の光拡散層３１のヘイズ値と視野角との関係を示す。ヘイズ値は、例えば日本電色工業社製ヘイズメータＮＤＨ２０００によって測定することができる。また、図６に示す視野角は、表示面内のある方向（例えば上下方向）に沿ったコントラスト比２以上の角度範囲である。
【００５７】
図６からわかるように、第１の光拡散層３１のヘイズ値が８５％以上であると、４０°以上の視野角が得られ、視野角拡大の効果が顕著であった。従って、第１の光拡散素子３１のヘイズ値は、８５％以上であることが好ましい。
【００５８】
また、反射モードの表示を好適に行うためには、第２の光拡散層３２のヘイズ値は、７０％以上８３％以下であることが好ましい。図７に、第２の光拡散層３２のヘイズ値と液晶表示パネル２０の光反射率（以下では単に「パネル反射率」と呼ぶ。）との関係を示す。
【００５９】
図７からわかるように、ヘイズ値が７０％未満になると、パネル反射率が最大反射率（ヘイズ値８０％付近）に比べて１０％以上低くなってしまう。そのため、高いパネル反射率を確保する観点からは、第２の光拡散層３２のヘイズ値は、７０％以上であることが好ましい。
【００６０】
また、第２の光拡散層３２のヘイズ値を変化させて反射モードの表示のぼけを目視評価したところ、ヘイズ値が８３％を超えると、許容できない表示のぼけが発生することがあった。そのため、第２の光拡散層３２のヘイズ値は、８３％以下であることが好ましい。
【００６１】
なお、図１に示した構成では、第１の光拡散層３１および第２の光拡散層３２は前面基板２２と液晶層２３との間に設けられているが、第１の光拡散層３１および第２の光拡散層３２は、前面基板２２の観察者側に設けられていてもよい。第１の光拡散層３１および第２の光拡散層３２を前面基板２２と液晶層２３との間に設けると、液晶層２３から第１の光拡散層３１および第２の光拡散層３２までの距離が短くなり、その分表示のぼけが発生しにくい。
【００６２】
照明素子１０としては、例示したものに限定されず、指向性の高い光を出射し得る種々のバックライトを用いることができる。より高い表示品位を得るためには、より指向性の高い光を出射し得るバックライトを用いることが好ましい。具体的には、照明素子１０が、表示面法線方向に対して３０°以上の角をなす方向における輝度が表示面法線方向における輝度の３％以下となるような配光分布を有すると、十分に高いコントラスト比を容易に実現することができる。
【００６３】
図８（ａ）および（ｂ）に、照明素子１０の好ましい配光分布の例を示す。図８（ａ）に示す配光分布では、表示面法線方向における輝度がもっとも高く、角度が大きくなるにつれて急に輝度が低くなる。これに対し、図８（ｂ）に示す配光分布では、表示面法線方向から３０°付近まで比較的高い輝度が保たれている。図８（ａ）および（ｂ）に示す配光分布のいずれにおいても、表示面法線方向に対して３０°以上の角をなす方向における輝度が表示面法線方向（０°）における輝度の３％以下である。そのため、これらのような配光分布を有する照明素子１０を用いることによって、優れた表示品位が得られる。
【００６４】
配光分布の他の例を図８（ｃ）に示す。図８（ｃ）に示す配光分布では、表示面法線方向に対して３０°以上の角をなす方向における輝度は、表示面法線方向（０°）における輝度の８％〜１３％以下である。このような配光分布の照明素子１０を用いる場合であっても、十分な表示品位を得ることができる。
【産業上の利用可能性】
【００６５】
本発明によると、透過反射両用型の液晶表示装置において、透過モードの表示の視野角特性を十分に向上させ、且つ、反射モードで明るい表示を実現することができる。つまり、広視野角の透過モードと、高反射率の反射モードとを両立することができる。
【００６６】
本発明による液晶表示装置は、バックライトを備えた透過型の液晶表示装置全般に好適に用いられ、特に、視野角特性の低い表示モード（例えば、ＳＴＮモードやＴＮモード、ＥＣＢモード）の液晶表示装置に好適に用いられる。
【図面の簡単な説明】
【００６７】
【図１】本発明の好適な実施形態における液晶表示装置１００を模式的に示す断面図である。
【図２】Ｒ画素、Ｇ画素およびＢ画素のそれぞれにおける第１および第２の光拡散層の配置例を示す上面図である。
【図３】反射型偏光板として機能するレンズシートの機能を説明するための図である。
【図４】透過領域と反射領域とに共通の光拡散層を備えた液晶表示装置６００を模式的に示す断面図である。
【図５】本発明の液晶表示装置に用いられる第１および第２の光拡散層の一例を示す図である。
【図６】第１の光拡散層のヘイズ値（％）と視野角（°）との関係を示すグラフである。
【図７】第２の光拡散層のヘイズ値（％）とパネル反射率（％）との関係を示すグラフである。
【図８】（ａ）、（ｂ）および（ｃ）は、照明素子から出射する光の配光分布の例を示すグラフである。
【図９】従来の液晶表示装置８００を模式的に示す斜視図である。
【符号の説明】
【００６８】
１    光源
２    導光板
３    反射シート
４    拡散シート
５、６    レンズシート
１０    照明素子（バックライト）
２０    液晶表示パネル
２１    背面基板
２２    前面基板
２３    液晶層
２４    光反射層
２５    光反射層の形成されていない領域
２６    カラーフィルタ
２７    ブラックマトリクス
３１    第１の光拡散層
３２    第２の光拡散層
３３    マトリクス
３４    粒子
４１、４２、４３、４４    位相差板
５１、５２    偏光板
１００    液晶表示装置
【図１】
2008070418.tif 000003
【図２】
2008070418.tif 000004
【図３】
2008070418.tif 000005
【図４】
2008070418.tif 000006
【図５】
2008070418.tif 000007
【図６】
2008070418.tif 000008
【図７】
2008070418.tif 000009
【図８】
2008070418.tif 000010
【図９】
2008070418.tif 000011